(57)【要約】【課題】  着座感を損なうことなく便座の内周部内空間がパイル等の柔軟部によって狭くなるのを防ぐことができるとともに、糸の総使用量を低減できる便座カバーを提供する。【解決手段】  便座Ｂの上面部を被覆すべき部分はその表面に柔軟部を有する厚地１ａとし、便座Ｂの内周部を被覆すべき部分は薄地１ｂとしたことにより、便座Ｂに装着した場合、厚地１ａの柔軟部に着座することができ、一面側の全面にパイルを有するものに比べて便座Ｂの内周部内空間を広くでき、しかも糸の総使用量を低減できるようにした。【選択図】        図１
2005177437.tif 000002
【特許請求の範囲】
【請求項１】
便座の上面部から下面部にかけて被覆する便座カバーにおいて、便座の上面部を被覆すべき部分はその上面部に柔軟部を有する厚地になっており、便座の内周部を被覆すべき部分は薄地になっていることを特徴とする便座カバー。
【請求項２】
便座の上面部から下面部にかけて被覆する矩形状の便座カバーにおいて、幅方向の中央部はその上面部に柔軟部を有する厚地になっており、幅方向の一側部又は両側部は薄地になっていることを特徴とする便座カバー。
【請求項３】
便座の上面部から下面部にかけて被覆する筒形の便座カバーにおいて、長手方向の中央部はその上面部に柔軟部を有する厚地になっており、長手方向の一端部又は両端部は薄地になっていることを特徴とする便座カバー。    
【請求項４】
便座に外嵌される２つの筒形袋部の開口縁近傍部が連なっている便座カバーにおいて、各筒形袋部はその上面部に柔軟部を有する厚地の半体部と、薄地の半体部とからなることを特徴とする便座カバー。
【請求項５】
前記厚地の部分、及び前記薄地の部分の間は前記厚地よりも薄く、前記薄地よりも厚くした境界部を有する請求項１乃至４のいずれか１つに記載の便座カバー。
【発明の詳細な説明】
【技術分野】
【０００１】
本発明は、洋式便器の便座カバーに関する。
【背景技術】
【０００２】
洋式便器には便器本体に対して揺動が可能なＯ型、Ｕ型などの便座を備えており、便座には便座カバーが装着されている。
この便座カバーは便座の上面部から下面部にかけて被覆するための編地の縁部分にゴム紐等の伸縮部材が取着されており、また、便座の後端部を被覆する位置にフック部材及びフック部材が引掛けられる掛止環が取着されており、前記伸縮部材を引き伸ばすとともに、フック部材を掛止環に引掛けることにより、便座に装着される。また、編地はパイル編機、横編機等の編機で編むことによりシート形に作られており、一面にパイルを有する（例えば、特許文献１）。
【特許文献１】特開平１１−１７８７４８号公報
【発明の開示】
【発明が解決しようとする課題】
【０００３】
しかしながら、以上のように構成された従来の便座カバーは前記伸縮部材が取着された取着部を除く一面側の全面にパイルを有するため、便座に装着された場合、便座の上面部から下面部にかけてパイルがあり、換言すれば便座の内周部を被覆する部分にもパイルがあることになり、便座の内周部内空間が狭くなり、便座カバーの前記内周部を被覆する部分が汚れ易くなると言う問題があった。また、便座カバーの一面側の全面にパイルを有するため、非パイル編地に比べて糸の総使用量が多くなり、コスト高になるとともに、重量が増加し、大形になると言う問題があった。
【０００４】
本発明は斯かる事情に鑑みてなされたものであり、便座の上面部を被覆すべき部分をその表面に柔軟部を有する厚地とし、便座の内周部を被覆すべき部分を薄地としたことにより、着座感を損なうことなく便座の内周部内空間が柔軟部によって狭くなるのを防ぐことができるとともに、糸の総使用量を低減できる便座カバーを提供することを目的とする。
【０００５】
また、矩形状の便座カバーの幅方向中央部をその表面に柔軟部を有する厚地とし、幅方向の一側部又は両側部を薄地としたことにより、着座感を損なうことなく便座の内周部内空間が柔軟部によって狭くなるのを防ぐことができるとともに、糸の総使用量を低減できる便座カバーを提供することを目的とする。
【０００６】
また、筒形の便座カバーの長手方向中央部をその表面に柔軟部を有する厚地とし、一端部又は両端部を薄地としたことにより、着座感を損なうことなく便座の内周部内空間が柔軟部によって狭くなるのを防ぐことができるとともに、糸の総使用量を低減できる便座カバーを提供することを目的とする。
【０００７】
また、便座に外嵌される２つの筒形袋部をその上面部に柔軟部を有する厚地の半体部と、薄地の半体部とからなる構成としたことにより、着座感を損なうことなく便座の内周部内空間が柔軟部によって狭くなるのを防ぐことができるとともに、糸の総使用量を低減できる便座カバーを提供することを目的とする。
【０００８】
また、厚地の部分、及び薄地の部分の間に厚地よりも薄く、薄地よりも厚くした境界部を設けたことにより、便座カバーが便座に対してずれた場合においても、着座感を得ることができる便座カバーを提供することを目的とする。
【課題を解決するための手段】
【０００９】
第１発明に係る便座カバーは、便座の上面部から下面部にかけて被覆する便座カバーにおいて、便座の上面部を被覆すべき部分はその上面部に柔軟部を有する厚地になっており、便座の内周部を被覆すべき部分は薄地になっていることを特徴とする。
【００１０】
第１発明にあっては、便座の上面部を被覆すべき部分を厚地としてあるため、便座に装着された場合、便座の上面部を厚地の柔軟部で被覆することができ、着座感を得ることができる。しかも、便座の内周部を被覆すべき部分には柔軟部が設けられていないため、便座に装着された場合、着座感を損なうことなく便座の内周部内空間が柔軟部によって狭くなるのを防ぐことができ、便座の内周部を被覆する部分を汚れ難くできる。また、一面側の全面にパイルを有するものに比べて糸の総使用量を低減できる。
【００１１】
第２発明に係る便座カバーは、便座の上面部から下面部にかけて被覆する矩形状の便座カバーにおいて、幅方向の中央部はその上面部に柔軟部を有する厚地になっており、幅方向の一側部又は両側部は薄地になっていることを特徴とする。
【００１２】
第２発明にあっては、矩形状の便座カバーの幅方向中央部を厚地としてあるため、便座に装着された場合、便座の上面部を柔軟部で被覆することができ、着座感を得ることができる。しかも、便座カバーの幅方向一側部には柔軟部が設けられていないため、便座に装着された場合、便座の内周部を薄地で被覆することができる。従って、着座感を損なうことなく便座の内周部内空間が柔軟部によって狭くなるのを防ぐことができ、便座の内周部を被覆する部分を汚れ難くできる。また、一面側の全面にパイルを有するものに比べて糸の総使用量を低減できる。また、幅方向の両側部を薄地とした場合、便座の下面部側での厚さを比較的薄くすることができるため、便器の上面部が濡れているときにおいても便座カバーを汚れ難くでき、また、汚れたとしても汚れを洗濯により落とし易い。
【００１３】
第３発明に係る便座カバーは、便座の上面部から下面部にかけて被覆する筒形の便座カバーにおいて、長手方向の中央部はその上面部に柔軟部を有する厚地になっており、長手方向の一端部又は両端部は薄地になっていることを特徴とする。
【００１４】
第３発明にあっては、筒形の便座カバーの長手方向中央部を厚地としてあるため、Ｏ形の便座に装着された場合、便座の上面部を柔軟部で被覆することができ、着座感を得ることができる。しかも、便座カバーの一端部には柔軟部が設けられていないため、Ｏ形の便座に装着された場合、便座の内周部を薄地で被覆することができる。従って、着座感を損なうことなく便座の内周部内空間が柔軟部によって狭くなるのを防ぐことができ、便座の内周部を被覆する部分を汚れ難くできる。また、一面側の全面にパイルを有するものに比べて糸の総使用量を低減できる。また、両端部を薄地とした場合、便座の下面部側での厚さを比較的薄くすることができるため、便器の上面部が濡れているときにおいても便座カバーを汚れ難くでき、また、汚れたとしても汚れを洗濯により落とし易い。
【００１５】
第４発明に係る便座カバーは、便座に外嵌される２つの筒形袋部の開口縁近傍部が連なっている便座カバーにおいて、各筒形袋部はその上面部に柔軟部を有する厚地の半体部と、薄地の半体部とからなることを特徴とする。
【００１６】
第４発明にあっては、筒形袋部が厚地の半体部と、薄地の半体部とからなるため、Ｕ形の便座に装着された場合、便座の上面部を柔軟部で被覆することができ、着座感を得ることができる。しかも、筒形袋部の一方の半体には柔軟部が設けられていないため、Ｕ形の便座に装着された場合、便座の内周部を薄地で被覆することができる。従って、着座感を損なうことなく便座の内周部内空間が柔軟部によって狭くなるのを防ぐことができ、便座の内周部を被覆する部分を汚れ難くできる。また、一面側の全面にパイルを有するものに比べて糸の総使用量を低減できる。
【００１７】
第５発明に係る便座カバーは、前記厚地の部分、及び前記薄地の部分の間は前記厚地よりも薄く、前記薄地よりも厚くした境界部を有することを特徴とする。                      
【００１８】
第５発明にあっては、厚地の部分、薄地の部分の間は厚地よりも薄く、薄地よりも厚くした境界部を有するため、便座カバーが便座に対してずれた場合においても、厚地の部分から境界部にかけて着座することができ、着座感を得ることができる。
【発明の効果】
【００１９】
第１発明乃至第４発明によれば、着座感を損なうことなく便座の内周部内空間が柔軟部によって狭くなるのを防ぐことができ、便座の内周部を被覆する部分を汚れ難くできる。しかも、一面側の全面にパイルを有するものに比べて糸の総使用量を低減でき、コストを下げることができるとともに、軽量にでき、小形にできる。
また、第５発明によれば、便座カバーが便座に対してずれた場合においても、着座感を得ることができる。
【発明を実施するための最良の形態】
【００２０】
以下本発明をその実施の形態を示す図面に基づき具体的に説明する。
実施の形態１
図１は実施の形態１に係る便座カバーを便座に装着した上面側状態を示す斜視図、図２は便座に装着した下面側状態を示す斜視図、図３は装着前の便座カバーを示す平面図、図４は装着前の便座カバーを示す拡大側面図、図５は装着前の便座カバーを示す底面図、図６は便座カバーの構成を示すもので、(a) は平面図、(b) は底面図、(c) は正面図、(d) は背面図、(d) は右側面図である。尚、図６において、左側面図は右側面図と対称に現れる。
【００２１】
実施の形態１の便座カバーＡは、温水洗浄便座などの加温式の便座Ｂに装着するものであり、便座Ｂの上面部から下面部にかけて被覆するための矩形状の編地１と、該編地１の幅方向の一側縁部及び他側縁部に取着されたゴム紐等の伸縮部材２，２と、長手方向の両端部にゴム紐を介して取着された２つのフック部材３，３及び各フック部材３，３が引掛けられる掛止環４，４と、幅方向の両側縁部に互いに係合可能に取着された複数の凸部５及び凹部６と、幅方向の両側縁部にゴム紐を介して取着されたフック部材３ａ及び該フック部材３ａが引掛けられる掛止環４ａを備えている。
【００２２】
編地１は高弾性の合成繊維であるスパンデックス等の芯糸とアクリル、綿、ウール等の表糸とをパイル編機、横編機等の編機で編むことにより幅方向の中央部の一面はパイルの柔軟部を有する厚地１ａとなり、幅方向の両側部は薄地１ｂ，１ｃとなるようにシート形に作られている。このように作られた編地１は編み方向及び編み方向と交差する方向への伸縮、換言すれば二次元方向への伸縮が可能である。厚地１ａは便座Ｂの上面部を被覆すべき部分であり、幅方向の一側部の薄地１ｂは便座Ｂの内周部を被覆すべき部分であり、幅方向の他側部の薄地１ｃは便座Ｂの外周部から下面部にかけて被覆すべき部分である。幅方向の一側部の薄地１ｂ及び幅方向の他側部の薄地１ｃは前記一側縁部及び他側縁部に取着された伸縮部材２，２の取着部寸法よりも長い寸法、換言すれば、伸縮部材２，２の取着部と柔軟部との間が薄地となるように形成されている。尚、編地１の両端縁は幅方向一側部の長さが幅方向他側部の長さよりも短くなるように両側縁に対して傾斜している。
【００２３】
以上のように構成された実施の形態１の便座カバーＡは二次元方向への伸縮が可能であり、さらに幅方向の両側縁部に伸縮部材２，２が取着されているため、長手方向中央部を便座Ｂの前端部に引っ掛けた状態で便座Ｂの上面部から下面部にかけて被覆しつつ２つの伸縮部材２，２を便座Ｂの後端側へ伸長させ、この便座Ｂの後端側で２つのフック部材３，３を掛止環４，４に引掛けることにより、伸縮部材２，２の収縮力によって幅方向両側部が絞られ、この絞りによって便座Ｂの上面部に沿って伸ばした状態で装着することができ、便座Ｂの上面部を厚地１ａの柔軟部で被覆することができ、便座Ｂの内周部を薄地１ｂで被覆することができる。この後、凸部５を凹部６に係合させ、フック部材３ａを掛止環４ａに引掛けることにより、幅方向の一側部を便座Ｂの内周部に密接させることができ、幅方向の他側部を便座Ｂの外周部及び下面部に密接させることができる。
【００２４】
以上のように便座Ｂに装着した便座カバーＡは、便座Ｂの上面部を厚地１ａの柔軟部で被覆しているため着座感をよくすることができ、しかも、便座Ｂの内周部を被覆すべき部分には柔軟部を設けていないため、便座Ｂの内周部内空間が柔軟部によって狭くなるのを防ぐことができる。従って、温水洗浄便座のノズルから水が噴射された場合においても、また、柔軟部のパイルを長くして着座感をより一層高めるようにした場合においても便座Ｂの内周部を被覆する部分を汚れ難くできる。また、便座カバーＡは幅方向両側部を薄地１ｂ，１ｃとしてあるため、一面側の全面にパイルを有するものに比べて表糸の総使用量を低減でき、コストを下げることができるとともに、軽量にでき、さらに小形にできる。
【００２５】
また、幅方向両側部が薄地１ｂ，１ｃであるため、便座の下面側での厚さを比較的薄くすることができ、換言すれば、便座の下面部に突設され、便器の上面に当接する突起部ｂの高さよりも薄い厚さにすることができるため、便器の上面部が濡れている場合においても便座カバーを汚れ難くでき、また、汚れたとしても汚れを洗濯により落とし易い。また、薄地１ｂ，１ｃとした幅方向両側部に、互いに係合可能とした複数の凸部５及び凹部６が取着されているため、便座の下面側で幅方向両側部を重ね、凸部５及び凹部６を係合させた場合の重ね部分の厚さを前記突起部ｂよりも薄い厚さにすることができるため、便座の便器に対する浮上がりをなくすることができるとともに、便器の上面部が濡れている場合においても便座カバーを汚れ難くでき、また、汚れたとしても汚れを洗濯により落とし易い。
【００２６】
実施の形態２
図７は実施の形態２に係る便座カバーを便座に装着した上面側状態を示す斜視図、図８は便座に装着した下面側状態を示す斜視図、図９は装着前の便座カバーを示す正面図、図１０は装着前の便座カバーを示す平面図である。
【００２７】
実施の形態２の便座カバーＡ１は、非加温式の一般にＯ形便座と称される便座Ｂ１に装着するものであり、便座Ｂ１の上面部から下面部にかけて被覆するための筒形の編地１０と、該編地１０の長手方向の一端部に取着され、便座の内側周長よりも長い周長を有する止輪７と、長手方向の他端部に取着されたゴム紐等の伸縮部材８と、前記他端部の２つの周方向位置にゴム紐を介して取着されたフック部材９ａ及びフック部材９ａが引掛けられる掛止環９ｂとを備えている。尚、止輪７は合成樹脂製であり、可撓性を有する。
【００２８】
編地１０は高弾性の合成繊維であるスパンデックス等の芯糸とアクリル、綿、ウール等の表糸とをパイル編機、横編機等の編機で編むことにより長手方向の中央部の一面はパイルの柔軟部を有する厚地１０ａとなり、長手方向の両端部は薄地１０ｂ，１０ｃとなるように筒形に作られている。このように作られた編地１０は編み方向及び編み方向と交差する方向への伸縮、換言すれば二次元方向への伸縮が可能である。厚地１０ａは便座の上面部を被覆すべき部分であり、一端部の薄地１０ｂは便座Ｂ１の内周部を被覆すべき部分であり、他端部の薄地１０ｃは便座Ｂ１の外周部を被覆すべき部分である。一端部の薄地１０ｂ及び他端部の薄地１０ｃは前記止輪７及び伸縮部材８の取着部寸法よりも長い寸法、換言すれば、止輪７及び伸縮部材８の取着部と柔軟部との間が薄地となるように形成されている。尚、編地１０は一端部が小径寸法となり、他端部が大径寸法となるようにパイル編みしてあり、また、他端部には長手方向へ凹となる凹所１０ｄが設けられており、該凹所１０ｄの両側にゴム紐を介してフック部材９ａ及び掛止環９ｂが夫々取着されている。
【００２９】
以上のように構成された実施の形態２の便座カバーＡ１は二次元方向への伸縮が可能であり、さらに長手方向の一端部に止輪７が取着されており、他端部に伸縮部材８が取着されているため、止輪７を便座Ｂ１の内周部下面側に置いた状態で長手方向へ伸長させつつ便座Ｂ１の上面部から外周部下面側にかけて被覆し、この便座Ｂ１の後端側でフック部材９ａを掛止環９ｂに引掛けることにより、伸縮部材８の収縮力によって他端部が絞られ、この絞りによって便座Ｂ１の上面部に沿って伸ばした状態で装着することができ、便座Ｂ１の上面部を厚地１０ａの柔軟部で被覆することができ、便座Ｂ１の内周部を薄地１０ｂで被覆することができる。
【００３０】
以上のように便座Ｂ１に装着した便座カバーＡ１は、便座Ｂ１の上面部を厚地１０ａの柔軟部で被覆しているため着座感をよくすることができ、しかも、便座Ｂ１の内周部を被覆すべき部分には柔軟部を設けていないため、便座Ｂ１の内周部内空間が柔軟部によって狭くなるのを防ぐことができる。従って、便座の内周部を被覆する部分を汚れ難くできる。また、柔軟部のパイルを長くして着座感をより一層高めるようにした場合においても便座カバーＡの前記内縁に沿った部分を汚れ難くできる。また、便座カバーＡ１は長手方向の両端部を薄地１０ｂ，１０ｃとしてあるため、一面側の全面にパイルを有するものに比べて表糸の総使用量を低減でき、コストを下げることができるとともに、軽量にでき、さらに小形にできる。
【００３１】
また、長手方向の両端部が薄地１ｂ，１ｃであるため、便座の下面側での厚さを比較的薄くすることができ、換言すれば、便座の下面部に突設され、便器の上面部に当接する突起部ｂの高さよりも薄い厚さにすることができるため、便座の便器に対する浮上がりをなくすることができるとともに、便器の上面部が濡れている場合においても便座カバーを汚れ難くでき、また、汚れたとしても汚れを洗濯により落とし易い。
その他の構成及び作用は実施の形態１と同じであるため、同様の部品については同じ符号を付し、その詳細な説明及び作用効果の説明を省略する。
【００３２】
実施の形態３
図１１は実施の形態３に係る便座カバーを便座に装着した上面側状態を示す斜視図、図１２は便座に装着した下面側状態を示す斜視図、図１３は装着前の便座カバーを示す底面図である。
【００３３】
実施の形態３の便座カバーＡ２は、非加温式の一般にＵ形便座と称される便座Ｂ２に装着するものであり、便座Ｂ２に外嵌される有底筒形であり、その開口縁近傍部が連なっている２つの筒形袋部２０，２０と、開口縁２０ａ部に互いに係合可能に取着された複数の凸部２１及び凹部２２とを備えている。
【００３４】
筒形袋部２０，２０は高弾性の合成繊維であるスパンデックス等の芯糸とアクリル、綿、ウール等の表糸とをパイル編機、横編機等の編機で編むことにより表面にパイルの柔軟部を有する厚地の半体部２０ｂ、及び薄地の半体部２０ｃとなるように有底筒形に作られている。このように作られた筒形袋部２０，２０は編み方向及び編み方向と交差する方向への伸縮、換言すれば二次元方向への伸縮が可能である。半体部２０ｂの厚地は便座Ｂ２の上面部を被覆すべき部分であり、半体部２０ｃの薄地は便座Ｂ２の内周部、外周部及び下面部に沿わせるべき部分である。
【００３５】
以上のように構成された実施の形態３の便座カバーＡ２は二次元方向への伸縮が可能であるため、筒形袋部２０，２０を便座Ｂ２に外嵌することにより便座Ｂ２の上面部に沿って伸ばした状態で装着することができ、便座Ｂ２の上面部を厚地の柔軟部で被覆することができ、便座Ｂ２の内周部、外周部及び下面部を薄地で被覆することができる。
【００３６】
以上のように便座Ｂ２に装着した便座カバーＡ２は、便座Ｂ２の上面部を厚地の柔軟部で被覆しているため着座感をよくすることができ、しかも、便座Ｂ２の内周部を被覆すべき部分には柔軟部を設けていないため、便座Ｂ２の内周部内空間が柔軟部によって狭くなるのを防ぐことができる。従って、便座の内周部を被覆する部分を汚れ難くできる。また、柔軟部のパイルを長くして着座感をより一層高めるようにした場合においても便座の内周部を被覆する部分を汚れ難くできる。また、便座カバーＡ２は筒形袋部２０，２０の半体部２０ｃを薄地としてあるため、一面側の全面にパイルを有するものに比べて表糸の総使用量を低減でき、コストを下げることができるとともに、軽量にでき、さらに小形にできる。
【００３７】
また、筒形袋部２０，２０の半体部２０ｃ，２０ｃが薄地であることにより、便座の下面側での厚さを比較的薄くすることができるため、便器の上面部が濡れている場合においても便座カバーＡ２の汚れを少なくすることができ、換言すれば、便座の下面部に突設され、便器の上面部に当接する突起部を被覆する部分が汚れるだけであり、また、汚れたとしても汚れを洗濯により落とし易い。また、柔軟部のパイルを長くして着座感をより一層高めるようにした場合においても、便座の便器に対する浮上がりをなくすることができる。
【００３８】
実施の形態４
図１４は実施の形態４に係る便座カバーの構成を示す拡大断面図である。この便座カバーは、実施の形態１乃至３に示した便座カバーの前記厚地の部分、及び前記薄地の部分の間に、厚さが漸次薄くなり、上面部にパイルの柔軟部を有する境界部（１ｆ，１ｇ）を設け、この境界部（１ｆ，１ｇ）が前記厚地の部分、及び前記薄地の部分に連なるようにし、さらに、前記薄地の部分はパイルの柔軟部を有する構成としたものである。
【００３９】
図１乃至図６で示した実施の形態１にあっては、厚地１ａと薄地１ｂ，１ｃとの間を厚さが漸次薄くなる境界部（１ｆ，１ｇ）としてあり、薄地１ｂ，１ｃはパイルの柔軟部を有する。また、図７乃至図１０で示した実施の形態２にあっては、厚地１０ａと薄地１０ｂ，１０ｃとの間を厚さが漸次薄くなる境界部（１ｆ，１ｇ）としてあり、薄地１０ｂ，１０ｃはパイルの柔軟部を有する。また、図１１乃至図１３で示した実施の形態３にあっては、厚地２０ｂと薄地２０ｃとの間を厚さが漸次薄くなる境界部（１ｆ，１ｇ）としてあり、薄地２０ｃはパイルの柔軟部を有する。
【００４０】
境界部１ｆ，１ｇは、各厚地１ａ、１０ａ、２０ｂの柔軟部のパイル長さを漸次短くすることにより形成されている。各薄地１ｂ，１ｃ、１０ｂ，１０ｃ、２０ｃの柔軟部は、各厚地１ａ、１０ａ、２０ｂ及び境界部（１ｆ，１ｇ）の柔軟部のパイル長さよりも短いパイル長さとしてある。尚、各薄地１ｂ，１ｃ、１０ｂ，１０ｃ、２０ｃは実施の形態１乃至３に示した便座カバーのように柔軟部を有しない構成としてもよいが、柔軟部を有する構成とすることにより、便座カバーの便座に対するずれ量が多くなった場合においても、柔軟部に着座することができ、着座感を得ることができる。また、境界部は（１ｆ，１ｇ）は厚さが漸次薄くなる構成である他、段階的に薄くなる構成としてもよい。
【００４１】
また、図１４に示した便座カバーは各薄地１ｂ，１ｃ、１０ｂ，１０ｃの縁に連なる取着部１ｄ，１ｅを有する。この取着部１ｄ，１ｅは、伸縮部材２，２、凸部５及び凹部６、止輪７及び伸縮部材８等の止め部材が取着されている。また、取着部（１ｄ，１ｅ）は、各薄地１ｂ，１ｃ、１０ｂ，１０ｃ、２０ｃと等しい薄地部分が折り返された構成にしてある。
【００４２】
尚、以上説明した実施の形態１では幅方向の一側部及び他側部を薄地１ｂ，１ｃとしたが、その他、幅方向の一側部だけを薄地１ｂとしてもよい。また、以上説明した実施の形態２では長手方向の両端部を薄地１０ｂ，１０ｃとしたが、その他、一端部だけを薄地１０ｂとしてもよい。
【００４３】
また、以上説明した実施の形態ではパイルからなる柔軟部を有する構成としたが、その他、例えばパイルの先端が切断された毛体からなる柔軟部であってもよいし、また、パイルと異なる起毛により形成された毛体からなる柔軟部であってもよいのであり、柔軟部の構成は特に制限されない。
【００４４】
また、実施の形態２にあっては、編地１０の長手方向の一端部に止輪７を取着し、長手方向の他端部に伸縮部材８を取着したが、その他、止輪７をなくし、長手方向の一端部に伸縮部材８を取着した構成としてもよい。
【図面の簡単な説明】
【００４５】
【図１】実施の形態１に係る便座カバーを便座に装着した上面側状態を示す斜視図である。
【図２】実施の形態１に係る便座カバーを便座に装着した下面側状態を示す斜視図である。
【図３】装着前の便座カバーを示す平面図である。
【図４】装着前の便座カバーを示す拡大側面図である。
【図５】装着前の便座カバーを示す底面図である。
【図６】実施の形態１に係る便座カバーの構成を示すもので、(a) は平面図、(b) は底面図、(c) は正面図、(d) は背面図、(d) は右側面図である。
【図７】実施の形態２に係る便座カバーを便座に装着した上面側状態を示す斜視図である。
【図８】実施の形態２に係る便座カバーを便座に装着した下面側状態を示す斜視図である。
【図９】装着前の便座カバーを示す正面図である。
【図１０】装着前の便座カバーを示す平面図である。
【図１１】実施の形態３に係る便座カバーを便座に装着した上面側状態を示す斜視図である。
【図１２】実施の形態３に係る便座カバーを便座に装着した下面側状態を示す斜視図である。
【図１３】装着前の便座カバーを示す底面図である。
【図１４】実施の形態４に係る便座カバーの構成を示す拡大断面図である。
【符号の説明】
【００４６】
Ａ，Ａ１，Ａ２  便座カバー
１ａ，１０ａ    厚地
１ｂ，１０ｂ    薄地
１ｆ，１ｇ    境界部
２０    筒形袋部
２０ａ  開口縁
２０ｂ  厚地の半体部
２０ｃ  薄地の半体部
Ｂ，Ｂ１，Ｂ２    便座
【図１】
2005177437.tif 000003
【図２】
2005177437.tif 000004
【図３】
2005177437.tif 000005
【図４】
2005177437.tif 000006
【図５】
2005177437.tif 000007
【図６】
2005177437.tif 000008
【図７】
2005177437.tif 000009
【図８】
2005177437.tif 000010
【図９】
2005177437.tif 000011
【図１０】
2005177437.tif 000012
【図１１】
2005177437.tif 000013
【図１２】
2005177437.tif 000014
【図１３】
2005177437.tif 000015
【図１４】
2005177437.tif 000016